(57)【要約】【課題】購入した商品の代金の支払いを行うセルフペイメントシステム等に用いられるバーコード読取り装置、方法、及びそのバーコード読取り装置を備えた精算装置に関し、小型で使い勝手がよく、精算券バーコードと商品バーコードを読み取ることのできるバーコード読取り装置及び精算装置を提供する【解決手段】カメラ１０１は、紙面挿入口の内部１０３に配置され、紙面に印刷されたバーコードの読取り時に、紙面挿入口１０２から挿入された紙面に印刷されたバーコードを撮像して読み取る。ギア１０５ａ、モータ１０５ｂ、及びモータ駆動機構１０５ｃは、商品３０３に貼付された商品バーコード３０２の読取り時に、紙面挿入口の内部１０３にミラー１０４を自動配置する。この場合に、カメラ１０１は、紙面挿入口１０２の外側にかざされた商品３０３に貼付された商品バーコード３０２を、紙面挿入口１０２及び紙面挿入口の内部１０３に自動配置されたミラー１０４を介して撮像して読み取る。【選択図】図３
2017146903.tif 000002
【特許請求の範囲】
【請求項１】
紙面に印刷されたバーコードの読取り時に、紙面挿入口から挿入された前記紙面に印刷されたバーコードを撮像して読み取り、前記紙面挿入口の内部に配置されるバーコード撮像手段と、
商品に貼付されたバーコードの読取り時に、前記紙面挿入口の内部にミラーを自動配置するミラー自動配置手段と、
を備え、
前記バーコード撮像手段は、前記商品に貼付されたバーコードの読取り時に、前記紙面挿入口の外側にかざされた商品に貼付されたバーコードを、前記紙面挿入口及び前記紙面挿入口の内部に自動配置されたミラーを介して、前記紙面挿入口内部に配置された前記バーコード撮像手段に撮像させて読み取らせる、
バーコード読取り装置。
【請求項２】
前記ミラー自動配置手段は、前記紙面に印刷されたバーコードの読取り時には、前記ミラーを前記紙面挿入口内の底面または側面の少なくともいずれか一方に配置し、前記商品に貼付されたバーコードの読取り時には、前記ミラーを前記紙面挿入口の内部の前記底面または前記側面に対して所定の角度を成しかつ前記ミラーの反射面が前記紙面挿入口の方向を向くように配置する、請求項１に記載のバーコード読取り装置。
【請求項３】
紙面に印刷されたバーコードの読取り時に、紙面挿入口から挿入された前記紙面に印刷されたバーコードを、前記紙面挿入口の内部に配置されたバーコード撮像手段で撮像して読み取り、
商品に貼付されたバーコードの読取り時に、前記紙面挿入口の内部にミラーを自動配置し、
前記紙面挿入口の外側にかざされた商品に貼付されたバーコードを、前記紙面挿入口及び前記紙面挿入口の内部に自動配置されたミラーを介して、前記紙面挿入口内部に配置された前記バーコード撮像手段に撮像して読み取らせる、
バーコード読取り方法。
【請求項４】
請求項１又は２記載のバーコード読取り装置を搭載し、
商品を購入した顧客が、商品の登録後に発行された精算券に印刷されたバーコードを、前記紙面挿入口の内部に配置された前記バーコード撮像手段で撮像して読み取らせて前記商品の精算を行い、
精算時に、顧客が新たな商品を追加して購入するときに、前記紙面挿入口の内部に前記ミラーを自動配置し、前記紙面挿入口の外側にかざされた前記新たな商品に貼付されたバーコードを、前記紙面挿入口及び前記紙面挿入口の内部に自動配置されたミラーを介して、前記紙面挿入口内部に配置された前記バーコード撮像手段に撮像して読み取らせて、前記新たな商品を追加登録して精算を行う、
精算装置。
【発明の詳細な説明】
【技術分野】
【０００１】
本発明は、購入した商品の代金の支払いを行うセルフペイメントシステム等に用いられるバーコード読取り装置、方法、及びそのバーコード読取り装置を備えた精算装置に関する。
【背景技術】
【０００２】
近年、小売業者の店舗では、レジの混雑の解消や業務の効率化を図るために、商品登録は店舗スタッフがスキャニングステーションと呼ばれる商品登録装置で行なって精算券バーコードの発行を受け、代金の精算は発行された精算券バーコードを用いて顧客自身がスキャニングステーションとは異なるペイメントステーションと呼ばれる精算装置で行なう、セルフペイメントシステムと称される精算システムが導入され始めている。
【０００３】
顧客自身がペイメントステーションにて精算券バーコードにより精算を行う場合には、その読取りが走査しやすいように、ペイメントステーションに小さな読取り口を備えた精算券バーコードリーダが据え付けられており、顧客はその精算券バーコードリーダの小さな読取り口に精算券バーコードをかざしてその読取りを行う。
【０００４】
このような精算券バーコードによる精算時に、商品を追加登録したい場合がある。
この場合、従来は、商品に貼付されたバーコード（以下「商品バーコード」と記載する）は、小さな読取り口の精算券バーコードリーダでは読み取れないため、顧客から呼ばれた店舗スタッフは、ペイメントステーションに備え付けのタッチスキャナやガンスキャナを使用して、商品バーコードの読取りを行い、商品を追加登録していた。
【０００５】
また従来、バーコードに照射された読取光を受光する受光部の読取可能範囲内で、商品に付されたバーコードの読取を妨げない位置に、バーコードが付されたカードを読取可能状態に案内するカード案内手段を設けて、商品バーコードとカードバーコードの両方を読み取れるようにしたバーコードリーダが知られている（例えば特許文献１に記載の技術）。
【先行技術文献】
【特許文献】
【０００６】
【特許文献１】特開２００９−２７７０４９号公報
【発明の概要】
【発明が解決しようとする課題】
【０００７】
しかし、精算券バーコードリーダ以外のタッチスキャナやガンスキャナ用いて商品バーコードの読取りを行い商品の追加登録を行う従来技術では、精算券バーコードリーダのほかにタッチスキャナやガンスキャナを搭載しなければならないため、ペイメントステーションのコストアップを招いてしまうという課題があった。
【０００８】
また、商品バーコード及びカードバーコードの両方を読み取れるようにしたバーコードリーダの従来技術では、大型化してしまうという課題があった。
【０００９】
そこで、本発明は、小型で使い勝手がよく、精算券バーコードと商品バーコードを読み取ることのできるバーコード読取り装置及び精算装置を提供することを目的とする。
【課題を解決するための手段】
【００１０】
態様の一例では、紙面に印刷されたバーコードの読取り時に、紙面挿入口から挿入された紙面に印刷されたバーコードを撮像して読み取り、紙面挿入口の内部に配置されるバーコード撮像手段と、商品に貼付されたバーコードの読取り時に、紙面挿入口の内部にミラーを自動配置するミラー自動配置手段と、を備え、バーコード撮像手段は、商品に貼付されたバーコードの読取り時に、紙面挿入口の外側にかざされた商品に貼付されたバーコードを、紙面挿入口及び紙面挿入口の内部に自動配置されたミラーを介して、紙面挿入口内部に配置されたバーコード撮像手段に撮像させて読み取らせる。
【発明の効果】
【００１１】
本発明によれば、小型で使い勝手がよく、精算券バーコードと商品バーコードを読み取ることのできるバーコード読取り装置及び精算装置を提供することが可能となる。
【図面の簡単な説明】
【００１２】
【図１】精算券バーコード読取り時におけるバーコード読取り装置の一実施形態の構造例を示す図である。
【図２】精算券バーコードの読取り動作の説明図である。
【図３】商品バーコード読取り時におけるバーコード読取り装置の一実施形態の構造例を示す図である。
【図４】本発明の一実施形態に係る精算システムの構成例を示す図である。
【図５】スキャニングステーションの外観例を示す図である。
【図６】ペイメントステーションの外観例を示す図である。
【図７】ペイメントステーションのハードウェア構成例を示すブロック図である。
【図８】ペイメントステーションで実行される精算処理の例を示すフローチャートである。
【図９】ペイメントステーションの表示画面例を示す図である。
【発明を実施するための形態】
【００１３】
以下、本発明を実施するための形態について図面を参照しながら詳細に説明する。
図１及び図３は、バーコード読取り装置の一実施形態１００の構造例を示す図であり、図１は精算券バーコード読取り時の構造例を示し、図３は商品バーコード読取り時の構造例を示している。また、図２は、精算券バーコードの読取り動作の説明図である。このバーコード読取り装置１００は、例えば後述するペイメントステーション（図６参照）に搭載される。
【００１４】
まず、図１又は図３において、バーコード読取り装置筐体１０６の前面には、紙面挿入口１０２が設けられる。
【００１５】
紙面挿入口の内部１０３の上方にはカメラ筐体１０７が設置される。カメラ筐体１０７内のカメラ（バーコード撮像手段）１０１は、精算券バーコード２０２の読取り時には、紙面挿入口の内部１０３内の破線１１０で示される範囲を撮像することができる。図２に示されるように、精算券２０１の紙面には精算券バーコード２０２が印刷されている。商品を購入した顧客は、精算券２０１を、精算券バーコード２０２が紙面挿入口１０２からその内部１０３の底面に乗るように挿入する。カメラ１０１は、紙面挿入口１０２から挿入された精算券２０１の紙面に印刷された精算券バーコード２０２を撮像して読み取る。
【００１６】
上述の精算券２０１の紙面に印刷された精算券バーコード２０２の読取り時には、ミラー筐体１０８に保持されたミラー１０４は、紙面挿入口の内部１０３の底面に配置されている。
【００１７】
次に、図３に示されるように、商品３０３に貼付された商品バーコード３０２の読取り時には、１０５ａ、１０５ｂ、及び１０５ｃからなるミラー自動配置手段が、ミラー１０４を自動配置する。具体的には、例えばマイコンと電源から成るモータ駆動機構１０５ｃがモータ１０５ｂを駆動することにより、モータ１０５ｂのギアにかみ合うギア１０５ａが回転することにより、ギア１０５ａが結合しているミラー筐体１０８が、ミラー回転軸１０９を中心にして、底面から起きあがるように移動する。この結果、ミラー１０４が、紙面挿入口の内部１０３の通常は精算券２０１の紙面が置かれる底面に対して所定の角度を成し、かつ反射面が紙面挿入口１０２の方向を向くように自動配置される。
【００１８】
この結果、カメラ１０１は、ミラー１０４での反射により、破線１１０の範囲に加えて、破線３０１の範囲まで撮像範囲を拡大して撮像することができるようになる。すなわち、カメラ１０１は、紙面挿入口１０２の外側にかざされた商品３０３に貼付された商品バーコード３０２を、紙面挿入口１０２及び紙面挿入口の内部１０３に自動配置されたミラー１０４を介して、撮像して読み取ることができる。
【００１９】
このようにして、本実施形態では、精算券２０１の紙面に印刷された精算券バーコード２０２の読取り時には、図１に示されるようにミラー筐体１０８及びミラー１０４が、紙面挿入口の内部１０３の底面に配置される。この状態で、顧客が図２に示されるように精算券２０１を紙面挿入口１０２に挿入することにより、カメラ１０１が破線１１０の範囲に入った精算券バーコード２０２を撮像して読み取ることができる。一方、追加の商品３０３に貼付された商品バーコード３０２の読取り時には、図３に示されるようにミラー筐体１０８及びミラー１０４が、紙面挿入口の内部１０３に一定角度で自動配置される。この状態で、例えば店舗スタッフが商品３０３に貼付された商品バーコード３０２を紙面挿入口１０２に近づけてかざすことにより、カメラ１０１が破線３０１の範囲に入った商品バーコード３０２を撮像して読み取ることができる。この場合に、バーコード読取り装置１００の大きさは従来のものと変わらないため、本実施形態により、小型で使い勝手がよく、精算券バーコード２０２と商品バーコード３０２を共に読み取ることのできるバーコード読取り装置１００が実現される。
【００２０】
図４は、本発明の一実施形態に係る精算システム４００の構成を示す図である。この精算システム４００は、セルフペイメントシステムなどと称されるものであり、これらを管理する管理サーバ４０３を含んでいる。精算システム４００を構成するこれらの装置は、例えば、スーパーなどの小売店舗内に設置されていて、互いにネットワーク４０４を通じて接続されている。なお、ネットワーク４０４は、例えばＬＡＮ（ローカルエリアネットワーク）であるが、ネットワークの種類は特に限定されない。管理サーバ４０３が、例えばデータセンターなど、スキャニングステーション４０１やペイメントステーション４０２とは異なるロケーションに設置されている場合には、ネットワーク４０４は例えばＷＡＮ（ワイドエリアネットワーク）などであってもよい。
【００２１】
図５は、図４に示される精算システム４００を構成するスキャニングステーション４０１の外観例を示す図である。このスキャニングステーション４０１は、顧客の購入する商品を登録して精算券２０１（図２）を発行する商品登録装置であり、通常はレジ係などの店舗スタッフによって操作されるものである。スキャニングステーション４０１は、図５に示されるように、商品に貼付されたバーコードを読み取るスキャナ（固定スキャナ５０１ａ、ハンドスキャナ５０１ｂ）と、スキャナで読み取った商品の情報を表示するタッチパネルディスプレイ５０２と、必要な情報や指示を入力するキーボード５０３と、精算券２０１を発行するプリンタ５０４とを備えている。
【００２２】
固定スキャナ５０１ａ、ハンドスキャナ５０１ｂは何れも、読み取ったバーコードから商品番号を取得して購入する商品を特定する。スキャニングステーション４０１が取得した商品番号が、その他の情報とともにネットワーク４０４を通じて管理サーバ４０３へ送信されることで、管理サーバ４０３が顧客の購入する商品の情報を管理する。つまり、スキャニングステーション４０１は、管理サーバ４０３へ商品番号などの情報を送信し管理サーバ４０３に記憶させることで、購入する商品の登録を行なう商品登録装置であり、管理サーバ４０３は、スキャニングステーション４０１で登録された商品の情報を記憶する記憶装置として機能する。
【００２３】
タッチパネルディスプレイ５０２は、固定スキャナ５０１ａ及びハンドスキャナ５０１ｂにより特定された商品に対応する商品名や価格などを表示する表示装置である。また、タッチパネルディスプレイ５０２は、キーボード５０３と同様に、スキャニングステーション４０１への指示を入力するための入力装置としても機能する。
【００２４】
プリンタ５０４は、スキャニングステーション４０１で行われる一連の商品登録を特定するための情報が印刷された精算券２０１を印刷出力する。
【００２５】
ここで、一連の商品登録とは、例えば、顧客がレジ係りに一度に依頼する商品登録であり、即ち、一取引の商品登録のことである。より具体的には、スキャニングステーション４０１は、タッチパネルディスプレイ５０２やキーボード５０３を用いたレジ係による特定の操作によって取引の開始と終了を検出し、その間を取引期間とする一連の商品登録を一取引の商品登録として認識する。
【００２６】
また、一連の商品登録を特定するための情報は、複数のスキャニングステーション４０１で一意に識別される取引コードであり、例えば、スキャニングステーション４０１を特定する端末番号とスキャニングステーション４０１毎にカウントされる取引番号とからなる。取引コードは、特に限定されるものではないが、例えば、精算券バーコード２０２（図２参照）として精算券２０１に印刷される。
【００２７】
図６は、図４に示される精算システム４００を構成するペイメントステーション４０２の外観例を示す図である。また図７は、図６に示すペイメントステーション４０２のハードウェア構成例を示すブロック図である。
【００２８】
図６及び図７に示すペイメントステーション４０２は、スキャニングステーション４０１で登録された商品の代金の精算処理を実行し、購入した商品の情報が印刷された支払レシートを発行する精算装置であり、原則として顧客自身によって操作されるものである。なお、顧客は、精算時に追加の商品（図３の商品３０３に対応）を登録したい場合には、ランプ６０４を点灯させて近くにいる店舗スタッフを呼ぶことにより、店舗スタッフが追加の商品登録を行うことができる。
【００２９】
ペイメントステーション４０２は、図６に示すように、精算券２０１から取引コードを特定する情報である精算券バーコード２０２を読み取る、図１〜図３で説明したバーコード読取り装置１００を備える。また、ペイメントステーション４０２は、顧客の操作を案内するための画面等を表示するタッチパネルディスプレイ６０１と、現金を受け付ける現金／クレジットカード支払部６０２と、購入した商品の情報を印刷した支払レシートを発行するプリンタ６０３と、店舗スタッフを呼ぶためのランプ６０４とを備えている。
【００３０】
ペイメントステーション４０２は、バーコード読取り装置１００が読み取った精算券バーコード２０２から取引コードを特定し、取引コードに基づいて、顧客が支払うべき代金の情報などを管理サーバ４０３から受信して、タッチパネルディスプレイ６０１に表示させる。
【００３１】
タッチパネルディスプレイ６０１は、表示装置であるとともに、顧客がペイメントステーション４０２への指示を入力するための入力装置としても機能する。
【００３２】
プリンタ６０３は、顧客が現金／クレジットカード支払部６０２に現金を投入し又はクレジットカードを挿入して精算処理が終了すると、購入した商品の情報を支払レシートに出力する明細出力部として機能する。
【００３３】
ペイメントステーション４０２は、更に、図７に示されるように、ペイメントステーション４０２の動作を制御する制御プログラムを実行するための構成として、ＣＰＵ７０１と、メモリ７０２と、外部記憶装置７０３と、可搬記録媒体７０４ａが挿入される可搬記録媒体駆動装置７０４とを備えていて、ネットワーク接続装置７０５を介して図４のネットワーク４０４に接続されている。
【００３４】
ＣＰＵ７０１は、ペイメントステーション４０２全体の制御を行うものである。メモリ７０２は、制御プログラムの実行の際に、外部記憶装置７０３または可搬記録媒体７０４ａに記憶されている制御プログラムや、制御プログラムの実行に必要な情報を一時的に記憶するものであり、例えば、ＲＡＭ（ランダムアクセスメモリ）である。外部記憶装置７０３は、制御プログラムや制御プログラムの実行に必要な情報を不揮発的に記憶するものであり、例えば、ハードディスク記憶装置である。可搬記録媒体駆動装置７０４は、光ディスクやコンパクトフラッシュ（登録商標）などの可搬記録媒体７０４ａを収容するものであり、可搬記録媒体７０４ａは、外部記憶装置７０３と同様に、制御プログラムや制御プログラムの実行に必要な情報を不揮発的に記憶する例えば半導体メモリである。
【００３５】
以下、本実施形態に関連するペイメントステーション４０２による精算処理について詳細に説明する。図８は、ペイメントステーション４０２で実行される精算処理の例を示すフローチャートである。この精算処理は、図７のＣＰＵ７０１が、外部記憶装置７０３または可搬記録媒体７０４ａに記憶されている制御プログラムをメモリ７０２にロードして実行する動作である。
【００３６】
顧客が、ペイメントステーション４０２に近づくと、ＣＰＵ７０１は、ペイメントステーション４０２のタッチパネルディスプレイ６０１（図６参照）に、例えば図９（ａ）に示されるように、例えば「お買上げ精算券のバーコードをかざしてください」というような、精算券２０１を紙面挿入口１０２（図２参照）に挿入することを促すメッセージを表示させる。
【００３７】
顧客がバーコード読取り装置１００に精算券２０１を図２で説明したように近づけることにより、ＣＰＵ７０１は、図８のフローチャートで例示される精算処理を開始する。
【００３８】
まずＣＰＵ７０１は、バーコード読取り装置１００に、図１で説明した精算券バーコード２０２の読取り処理を実行させる（ステップＳ８０１）。この結果、ＣＰＵ７０１は、バーコード読取り装置１００が読み取ったバーコードから取引コード（例えば端末番号と取引番号）を特定する。
【００３９】
次に、ＣＰＵ７０１は、例えば図９（ｂ）に示されるように、顧客が購入した商品の明細一覧（お買上げ明細）と取引コードによって特定される顧客が支払うべき合計金額を、タッチパネルディスプレイ６０１に表示する。具体的には、ＣＰＵ７０１は、特定された取引コードを、ネットワーク接続装置７０５からネットワーク４０４（図４参照）を介して管理サーバ４０３へ送信し、顧客が支払うべき明細及び合計金額を問い合わせる。取引コードを受信した管理サーバ４０３は、取引コードを検索キーにして取引テーブルを検索して、取引コードによって特定される購入商品の明細一覧と合計金額を、ペイメントステーション４０２へ送信する。ＣＰＵ７０１は、受信したこれらの情報を、図９（ｂ）に例示されるようにタッチパネルディスプレイ６０１に表示する。このとき同時に、ＣＰＵ７０１は、「現金」又は「クレジット」の支払い方法と、追加商品登録を行うための「お買上げ変更」と、店舗スタッフを呼ぶための「呼」及び「中止」の各指定ボタンを、タッチパネルディスプレイ６０１に表示する（以上、ステップＳ８０２）。
【００４０】
タッチパネルディスプレイ６０１において、例えば図９（ｂ）の画面が表示されているときに、顧客が「現金」、「クレジット」、「お買上げ変更」、「呼」、又は「中止」の何れかのボタンにタッチすると、ＣＰＵ７０１は、制御をステップＳ８０３に進める。
【００４１】
ＣＰＵ７０１はまず、顧客が「お買上げ変更」ボタンにタッチしたか否かを判定する（ステップＳ８０３）。
【００４２】
ステップＳ８０３の判定がＮＯならば、ＣＰＵ７０１は、顧客が「呼」ボタンにタッチしたか否かを判定する（ステップＳ８０４）。
【００４３】
ステップＳ８０４の判定がＹＥＳならば、ＣＰＵ７０１は、図６のランプ６０４を点灯させる（ステップＳ８０５）。その後、ＣＰＵ７０１は、ステップＳ８０２の明細等表示の処理に戻り、例えば図９（ｂ）の表示を継続する。この結果、店舗スタッフが、このペイメントステーション４０２の所に駆けつけることになる。店舗スタッフは、ランプ６０４が点灯したペイメントステーション４０２の所に来たら、特には図示しない処理によりランプ６０４を消灯させる。その後、商品の追加登録等の支援を行う。
【００４４】
ステップＳ８０４の判定がＮＯならば、ＣＰＵ７０１は、顧客が「中止」ボタンにタッチしたか否かを判定する（ステップＳ８０６）。
【００４５】
ステップＳ８０６の判定がＹＥＳならば、ＣＰＵ７０１は、タッチパネルディスプレイ６０１の表示を例えば図９（ａ）の画面に戻し、ステップＳ８０１の処理に戻る。この結果、精算処理が中止され、精算券バーコード２０２の再度の読取り処理に戻る。
【００４６】
例えば図９（ｂ）の表示画面において、店舗スタッフが「お買上げ変更」ボタンにタッチすると、ステップＳ８０３の判定がＹＥＳとなる。この結果、ＣＰＵ７０１は、図３で説明したように、モータ駆動機構１０５ｃに指示を出して、バーコード読取り装置１００内のミラー筐体１０８及びミラー１０４を、図３のようにアップさせる（ステップＳ８０７）。
【００４７】
次に、ＣＰＵ７０１は、タッチパネルディスプレイ６０１の表示を、例えば図９（ｃ）に示される明細編集画面に変更する。このとき、ＣＰＵ７０１は、編集すべき明細の一覧の他に、「追加」、「削除」、又は「戻る」ボタンの各指定ボタンを、タッチパネルディスプレイ６０１に表示する（以上、ステップＳ８０８）。
【００４８】
タッチパネルディスプレイ６０１において、例えば図９（ｃ）の明細編集画面が表示されているときに、店舗スタッフが「追加」、「削除」、又は「戻る」の何れかのボタンにタッチすると、ＣＰＵ７０１は、制御をステップＳ８０９に進める。
【００４９】
ＣＰＵ７０１はまず、店舗スタッフが「追加」ボタンにタッチしたか否かを判定する（ステップＳ８０９）。
【００５０】
ステップＳ８０９の判定がＹＥＳならば、ＣＰＵ７０１は、図３で説明したように、バーコード読取り装置１００に、商品３０３の商品バーコード３０２を読み取る処理を実行させる。この結果、ＣＰＵ７０１は、バーコード読取り装置１００が読み取った商品バーコード３０２から商品コードを取得し、この商品コードに対応する商品情報を、現在の取引コードに対応する明細一覧に追加する指示を、ネットワーク接続装置７０５からネットワーク４０４（図４参照）を介して管理サーバ４０３へ送信する。この結果、ＣＰＵ７０１は、管理サーバ４０３から、新たな明細一覧と合計金額を受信する（以上、ステップＳ８１０）。その後、ＣＰＵ７０１は、ステップＳ８０８の処理に戻り、更新された明細一覧と合計金額に基づいて、タッチパネルディスプレイ６０１に、図９（ｃ）の明細編集画面を更新して表示させる。
【００５１】
ステップＳ８０９の判定がＮＯならば、ＣＰＵ７０１は、店舗スタッフが「削除」ボタンにタッチしたか否かを判定する（ステップＳ８１１）。
【００５２】
ステップＳ８１１の判定がＹＥＳならば、ＣＰＵ７０１は、タッチパネルディスプレイ６０１上で店舗スタッフが指定した削除する明細に対応する商品コードを取得し、この商品コードに対応する商品情報を、現在の取引コードに対応する明細一覧から削除する指示を、ネットワーク接続装置７０５からネットワーク４０４（図４参照）を介して管理サーバ４０３へ送信する。この結果、ＣＰＵ７０１は、管理サーバ４０３から、新たな明細一覧と合計金額を受信する（以上、ステップＳ８１２）。その後、ＣＰＵ７０１は、ステップＳ８０８の処理に戻り、更新された明細一覧と合計金額に基づいて、タッチパネルディスプレイ６０１に、図９（ｃ）の明細編集画面を更新して表示させる。
【００５３】
ステップＳ８０９及びＳ８１１の判定が何れもＮＯならば、ＣＰＵ７０１は、店舗スタッフが「戻る」ボタンにタッチしたと判定できる。この場合、ＣＰＵ７０１は、図３においてモータ駆動機構１０５ｃに指示を出して、バーコード読取り装置１００内のミラー筐体１０８及びミラー１０４を、図１のようにダウンさせる（ステップＳ８１３）。その後、ＣＰＵ７０１は、ステップＳ８０２の明細等表示の処理に戻り、タッチパネルディスプレイ６０１の表示を、例えば図９（ｃ）の表示から例えば図９（ｂ）の表示に戻す。
【００５４】
前述したステップＳ８０３、Ｓ８０４、及びＳ８０６の何れの判定もＮＯの場合、すなわち、例えば図９（ｂ）の画面表示において、顧客が何れかのボタンにタッチした状態において、ＣＰＵ７０１が、「お買上げ変更」、「呼」、及び「中止」の何れのボタンにもタッチしていないと判定した場合には、顧客は「現金」又は「クレジット」の何れかの支払いボタンにタッチしたと判定できる。この場合には、ＣＰＵ７０１は、ステップＳ８０６からステップＳ８１４に制御を移行させる。これにより、ＣＰＵ７０１は、顧客が図６の現金／クレジットカード支払部６０２に現金を投入し又はクレジットカードを挿入すると、ペイメントステーション４０２は、管理サーバ４０３に精算処理を依頼する（ステップＳ８１４）。具体的には、ＣＰＵ７０１は、ステップＳ８０１で取得した取引コードを送信して、その取引コードで特定される取引で登録された商品の代金が支払われたことを管理サーバ４０３へ通知する。これを受けて管理サーバ４０３は、例えば、取引テーブルに設けられた図示しない支払い済みか否かを示すカラムの値を更新するなどして、これらの商品の代金が支払われたことを記憶する。
【００５５】
最後に、管理サーバ４０３から、支払レシートの発行に必要な情報を含む精算処理が正常に終了した旨の通知を受けると、ＣＰＵ７０１は、プリンタ６０３により、支払いが完了した取引の支払レシートを取引毎（取引コード毎）に発行する（ステップＳ８１５）。
その後、ＣＰＵ７０１は、今回の精算処理を終了する。
【００５６】
上述した実施形態は、発明の理解を容易にするために本発明の具体例を示したものであり、本発明はこの実施形態に限定されるものではない。本発明のバーコード読取り装置、方法、及び精算装置は、特許請求の範囲に規定された本発明の思想を逸脱しない範囲において、さまざまな変形、変更が可能である。例えば、ミラーを底面でなく側面に配置した場合も範囲に含むものである。
【符号の説明】
【００５７】
１０１  カメラ
１０２  紙面挿入口
１０３  紙面挿入口の内部
１０４  ミラー
１０５ａ  ギア
１０５ｂ  モータ
１０５ｃ  モータ駆動機構
１０６  バーコード読取り装置筐体
１０７  カメラ筐体
１０８  ミラー筐体
１０９  ミラー回転軸
１１０  精算券バーコード読取り範囲
２０１  精算券
２０２  精算券バーコード
３０１  商品バーコード読取り範囲
３０２  商品バーコード
３０３  商品
４００  精算システム
４０１  スキャニングステーション
４０２  ペイメントステーション
４０３  管理サーバ
４０４  ネットワーク
５０１ａ  固定スキャナ
５０１ｂ  ハンドスキャナ
５０２、６０１  タッチパネルディスプレイ
５０３  キーボード
５０４、６０３  プリンタ
７０１  ＣＰＵ
７０２  メモリ
７０３  外部記憶装置
７０４  可搬記録媒体駆動装置
７０４ａ  可搬記録媒体
７０５  ネットワーク接続装置７
【図１】
2017146903.tif 000003
【図２】
2017146903.tif 000004
【図３】
2017146903.tif 000005
【図４】
2017146903.tif 000006
【図５】
2017146903.tif 000007
【図６】
2017146903.tif 000008
【図７】
2017146903.tif 000009
【図８】
2017146903.tif 000010
【図９】
2017146903.tif 000011